(57)【要約】【課題】  非常に優れた融雪効果を奏することができ、更に、使用によって生活上に問題が生じることもなく、しかも、様々な屋根に対して容易に設置することができる屋根雪融解装置を提供すること。【解決手段】  温水を貯蓄する貯水槽１に送水管11を介して接続されており、かつ、長さの異なる複数のノズルパイプ21a・21b…を側部に備えるノズルヘッド22が、駆動機構部23によって所要の回転動を付与されるように構成された散水器２を、屋根Ｒの上に設置して降雪時に屋根面に温水を拡散噴射させることにより屋根雪を融解可能にした。【選択図】  図１
0003128139.tif 000002
【実用新案登録請求の範囲】
【請求項１】
温水を貯蓄する貯水槽１に送水管11を介して接続されており、かつ、長さの異なる複数のノズルパイプ21a・21b…を側部に備えるノズルヘッド22が、駆動機構部23によって所要の回転動を付与されるように構成された散水器２を、屋根Ｒの上に設置して降雪時に屋根面に温水を拡散噴射させることにより屋根雪を融解可能にしたことを特徴とする屋根雪融解装置。
【請求項２】
散水器２のノズルヘッド22が、連続回転可能であることを特徴とする請求項１記載の屋根雪融解装置。
【請求項３】
散水器２のノズルヘッド22が、所要の回転角度で往復回動可能であることを特徴とする請求項１記載の屋根雪融解装置。
【請求項４】
散水器２のノズルパイプ21a・21b…が、着脱交換によって長さ調節可能であることを特徴とする請求項１〜３の何れか一つに記載の屋根雪融解装置。
【請求項５】
散水器２の駆動機構部23が、ノズルヘッド22の回転角度を調節自在に構成されていることを特徴とする請求項１〜４の何れか一つに記載の屋根雪融解装置。
【請求項６】
散水器２のノズルパイプ21b・21b…の先端部が、やゝ上向き形状に成形されて上向きに散水可能であることを特徴とする請求項１〜５の何れか一つに記載の屋根雪融解装置。
【考案の詳細な説明】
【技術分野】
【０００１】
本考案は、屋根雪融解装置の改良、詳しくは、融雪効果が非常に優れると共に、使用によって生活上に問題が生じることもなく、しかも、様々な屋根形状に対して設置を簡単に行える屋根融雪装置に関するものである。
【背景技術】
【０００２】
周知のとおり、屋根に降り積もった雪は、家屋の倒壊や落雪による事故の原因となるため、屋根上から除去する必要があるが、人力による雪降ろし作業は、大変な重労働で煩わしく、また、転落の危険性もあることから、近年では、散水器により放水して融雪を行う屋根雪融解装置がよく利用される。
【０００３】
そして、従来においては、このような屋根雪融解装置として、パイプ材に多数の射出孔を穿設して成る散水管を屋根の棟部に沿って配設し、この散水管から放水を行って融雪効果を得られるようにしたものが公知となっている（例えば、特許文献１参照）。
【０００４】
しかしながら、上記従来の屋根雪融解装置は、単純な棟部から両側方に傾斜する屋根を持つ形態の切妻型の屋根に対しては問題がないものの、複雑に入り組んだ棟部を形成する寄棟屋根等の屋根に対しては散水管の設置が非常に難しいという問題があった。
【０００５】
また、冷水を散水するために、軽い新雪の上に水を撒くと、雪を解かさずに却って屋根雪を重くして家屋を潰してしまう危険すらあったのである。
【０００６】
一方、従来においては、回転式のノズルヘッドを有するスプリンクラーを使用した屋根雪融解装置も公知となっている（例えば、特許文献２参照）。
【０００７】
ところが、この文献２に記載された従来の融雪装置にあっては、散水範囲が円形状であったことから、一階屋根が図９(a)に示すように細長い形状であった場合において、スプリンクラーＳを外側に設置すると、屋根の外にまで散水が食み出して家屋周囲の一般道路や隣家まで水浸しになってしまうという苦情があった。
【０００８】
そして逆に、図９(ｂ)に示すようにスプリンクラーＳを二階の外壁側に設置した場合には、散水が外壁に当たって耳障りな騒音が発生したり、窓の開閉を行えなかったりする等の不快な事態を招くこととなった。
【０００９】
加えて、上記従来の融雪装置に使用するスプリンクラーは、小径のオリフィスから水を噴出させ、その水圧を利用してノズルヘッドを高速に回転させながら散水していたため、散水が非常に細かな飛沫状となってすぐに凍結してしまい、満足できる融雪効果を得ることができなかった。
【特許文献１】特開２００５−８３１８０号公報（第２−４頁、第１図）
【特許文献２】特開平６−１９３３１０号公報（第２−６頁、第１〜６図）
【考案の開示】
【考案が解決しようとする課題】
【００１０】
本考案は、上記の如き問題に鑑みて為されたものであり、その目的とするところは、非常に優れた融雪効果を奏することができ、更に、使用によって生活上に問題が生じることもなく、しかも、様々な屋根に対して容易に設置することができる屋根雪融解装置を提供することにある。
【課題を解決するための手段】
【００１１】
本考案者が、上記課題を解決するために採用した手段を添付図面を参照して説明すれば次のとおりである。
【００１２】
即ち、本考案は、温水を貯蓄する貯水槽１に送水管11を介して接続されており、かつ、長さの異なる複数のノズルパイプ21a・21b…を側部に備えるノズルヘッド22が、駆動機構部23によって所要の回転動を付与されるように構成された散水器２を、屋根Ｒの上に設置して降雪時に屋根面に温水を拡散噴射させることにより屋根雪を融解可能にした点に特徴がある。
【００１３】
また、本考案においては、上記課題を解決するために、必要に応じて上記手段に加え、散水器２のノズルヘッド22を、連続回転可能に構成するという技術的手段を採用することができる。
【００１４】
また、本考案においては、上記課題を解決するために、必要に応じて上記手段に加え、散水器２のノズルヘッド22を、所要の回転角度で往復回動可能に構成するという技術的手段を採用することができる。
【００１５】
また、本考案においては、上記課題を解決するために、必要に応じて上記手段に加え、散水器２のノズルパイプ21a・21b…を、着脱交換によって長さ調節可能にするという技術的手段も採用することができる。
【００１６】
また、本考案においては、上記課題を解決するために、必要に応じて上記手段に加え、散水器２の駆動機構部23を、ノズルヘッド22の回転角度が調節自在な構造とするという技術的手段を採用することができる。
【００１７】
また、本考案においては、上記課題を解決するために、必要に応じて上記手段に加え、散水器２のノズルパイプ21b・21b…の先端部を、やゝ上向き形状に散水可能に曲げて形成するという技術的手段を採用することができる。
【考案の効果】
【００１８】
本考案では、屋根の上に設置して降雪時に屋根面に温水を拡散噴射させる散水器において、複数のノズルパイプを側部に備えたノズルヘッドを使用し、更に、このノズルヘッドをモーター等の駆動機構部によって回転させる構造を採用したことにより、ノズルヘッドを低速に回転させながら比較的に大径のオリフィスを持つノズルパイプから放水を行うことが可能となるため、温水が飛沫化して冷却せず、纏まった状態で屋根雪に浴せることができて効果的に融解させることができる。
【００１９】
加えて、融雪装置には温水を使用したことから、水分が雪中に留まって雪の重さを増大させてしまうようなことなく、効率的で安全な融雪を行うことができる。
【００２０】
また、散水器においては駆動機構部によってノズルヘッドを所要の回転角度で回転させるようにしたことにより、細長い形状の下屋根に散水器を設置する場合であっても、前方方向にのみ散水するように設定できるため、散水が屋根の外に食み出すことや、二階の外壁や窓に当たることにより生じる問題を回避できる。
【００２１】
そしてまた、本考案の屋根雪融解装置は、回転散水方式の散水器を使用しているため、屋根形状に左右されることはなく、様々な屋根に対して簡単に散水器の設置を行うことができる。
【００２２】
したがって、本考案により、気軽に設置できることは勿論、快適に使用でき、しかも、融雪効果も非常に高い屋根雪の融雪手段を提供することができることから、本考案の実用的利用価値は頗る高い。
【考案を実施するための最良の形態】
【００２３】
『実施例１』
まず、本考案の実施例１について、図１から図４に基いて説明する。まず、図中において符号１で指示するものは、貯水槽であり、符号２で指示するものは、散水器である。そして、符号３で指示するものは、制御部であり、符号４で指示するものは、ボイラーである。さらに、符号５で指示するものは、融解水循環機構である。
【００２４】
しかして、本実施例の構成を以下に説明する。まず、本実施例では、温水を貯蓄する貯水槽１と屋根Ｒの頂上部に設置した散水器２とを送水管11を介して接続し、散水器２から屋根面に対して温水を拡散噴射できるようにした（図１参照）。
【００２５】
これにより、冷水を用いた場合と異なり散水がすぐに凍結してしまうようなことはないため、効率的に融雪を行うことができる。
【００２６】
そして、散水器２に関しては、長さの異なる二対のノズルパイプ21a・21b…を側部に装着したノズルヘッド22が、駆動機構部23によって連続回転できるように構成した（図２、図３参照）。
【００２７】
具体的には、ノズルヘッド22にパイプ材を使用し、それを基板24上の軸受に回転自在に配設すると共に、駆動機構部23としてモーターＭ及びギアＧを用いて前記パイプ材の下部を回転できるように配設し、更に、駆動機構部23は、外部からの影響を受けないようにケース25で覆った。
【００２８】
また、貯水槽１からの送水管11と散水器２の接続部26には、ノズルヘッド22の回転を妨げないように密閉空間を設けると同時に、この密閉空間に送水管11を差し込んで固定し、パイプ材には窓孔27を設けて散水器２に温水を供給できる構造を形成した。
【００２９】
上記のように構成したことにより、モーターＭ等から成る散水器２の駆動機構部23によって、ノズルヘッド22を低速に回転させながら比較的に大径のオリフィスを持つノズルパイプ21から放水を行うことが可能となるため、散水は飛沫化せずに纏まった状態となり、それを屋根雪に浴びせれば効果的に融解させることができる。
【００３０】
そして、散水器２のノズルヘッド22には、長さの異なる二対のノズルパイプ21a・21b…を装着して構成したことから、長いノズルパイプ21a・21aが遠くの領域に、短いノズルパイプ21b・21bは近くの領域にそれぞれ散水して、効率的に融雪を行うことができる。
【００３１】
加えて、散水器２には回転散水方式のものを使用したことから、様々な形状の屋根に対して装置の設置を容易に行うことができる。
【００３２】
また、本実施例では、散水器２のノズルヘッド22を固定した基板25を所定高さに支持する支持脚28はその高さを調整可能な構造としたことから、支持脚28の高さを変えることによってノズルパイプ21a・21b…からの温水の飛距離を調整することができる。
【００３３】
加えて、散水器２のノズルパイプ21ａ・21ｂ…の先端部は、上向きに散水して温水がより遠くに飛ぶように、やゝ上向き形状に成形した。
【００３４】
さらに、本実施例では、屋根Ｒ上の散水器２に温水を圧送する貯水槽１内のポンプ12の作動・停止、送水管11の流量調節、散水器２の駆動機構部23の作動・停止を制御する制御部３を設けて、手動で操作できるようにした（図４参照）。
【００３５】
そして、貯水槽１の内部には、水量を感知するレベルセンサ13が設けられ、温水が不足した際に、ボイラー４で加熱された温水が自動的に貯水槽１に供給されるようにした。
【００３６】
また、屋根Ｒ上の融雪水が収集される雨樋51と、この融雪水を貯水槽１へと還元する導水管52と、融雪水中の塵等を除去するためのフィルター装置53とから成る融雪水循環機構５を設けて、水道水の利用を減らしてランニングコストを低減した。
【００３７】
『実施例２』
次に、本考案の実施例２について図５から図８に基いて以下に詳細に説明する。本実施例においては、一階屋根（下屋）上の二階外壁側に散水器を設置し、貯水槽１と送水管11を介して接続した（図５参照）。
【００３８】
そして、散水器２は、長さの異なるノズルパイプ21a・21b…を側部に装着したノズルヘッド22を、駆動機構部23によって所要の回転角度で回転・往復動できるように構成した（図６、図７参照）。
【００３９】
具体的には、ノズルヘッド22に異形の中空部材を使用し、それを基板25上の軸受に回転自在に固定すると共に、駆動機構部23であるモーターＭ及びギアＧを配設し、更にモーター軸の回転運動を往復運動に変換するクランク機構Ｃを設けることにより、ノズルヘッド22を回転・往復動できるようにした（図８参照）。
【００４０】
そして、貯水槽１の送水管11は、ノズルヘッド22が固定されている軸受部分に接続して温水の供給を行えるようにした。
【００４１】
上記のように構成したことにより、細長い形状の下屋根Ｒに散水器２を設置する場合であっても、前方方向にのみ散水を行うよう設定することができるため、散水が屋根の外に食み出すことや、二階の外壁や窓に当たることにより生じる問題を回避できる。
【００４２】
また、本実施例では、散水器２のノズルパイプ21a・21b…を、着脱交換によって伸縮自在な構造としたことにより、散水範囲を適宜変更できるようにした。
【００４３】
本考案は、概ね上記のように構成されるが、図示の実施形態に限定されるものでは決してなく、「実用新案登録請求の範囲」の記載内において種々の変更が可能であって、例えば、散水器２の駆動機構部23を、ノズルヘッド22の回転角度が調節自在な構造としてもよく、また、連続回転と往復回動とを切り替え可能な構造であってもよい。
【００４４】
また、散水器２の駆動機構部23に関しては、ノズルヘッド22における回転速度の大きさを調節できるような構造であってもよい。
【００４５】
また、散水器２のノズルパイプ21a・21b…の長さや装着本数に関しても適宜変更することができる。
【００４６】
そしてまた、貯雪槽１への給水手段として、浴槽の残り湯を利用することによりランニングコストを低減できるようにしてもよく、また、散水器２から冷水を散水できるようにして夏場の打ち水に本装置を使用できるようにしてもよく、何れも本考案の技術的範囲に属する。
【産業上の利用可能性】
【００４７】
最近では、高齢化社会の到来により、雪国において冬場の雪下ろし作業を高齢者が行うことも多く、その場合、転落によって大怪我をする危険性が極めて高い。また、その危険を避けて雪下ろし作業を行わないでいると雪の重圧によって住宅が圧潰してしまうことさえある。それ故、雪国では、安全に屋根雪を除去することができる屋根用の融雪装置が切に求められており、特に、家庭での実用性に優れたものが望まれる。
【００４８】
そのような中で、本考案の屋根雪融解装置は、融雪機能に優れることは勿論、家庭においても快適に使用することができ、しかも、様々な形状の屋根に対して簡単に設置を行える実用的な技術であることから、市場における需要は大きく、本考案の産業上の利用価値は非常に高いと云える。
【図面の簡単な説明】
【００４９】
【図１】本考案の実施例１における屋根雪融解装置を表わす全体斜視図である。
【図２】本考案の実施例１における散水器を表わす全体斜視図である。
【図３】本考案の実施例１における散水器の内部構造を表わす説明断面図である。
【図４】本考案の実施例１における給水構造を表わす全体説明図である。
【図５】本考案の実施例２における屋根雪融解装置を表わす説明側面図である。
【図６】本考案の実施例２における散水器を表わす全体斜視図である。
【図７】本考案の実施例２における散水器の内部構造を表わす説明断面図である。
【図８】本考案の実施例２における散水器の内部構造を表わす説明断面図である。
【図９】従来技術における散水装置の設置状態と散水範囲とを表わす全体説明図である。
【符号の説明】
【００５０】
１  貯水槽
11  送水管
12  ポンプ
13  レベルセンサ
２  散水器
21  ノズルパイプ
22  ノズルヘッド
23  駆動機構部
24  基板
25  ケース
26  接続部
27  窓孔
28  支持脚
３  制御部
４  ボイラー
５  融雪水循環機構
51  雨樋
52  導水管
53  フィルター装置
Ｍ  モーター
Ｇ  ギア
Ｃ  クランク機構
Ｓ  スプリンクラー
【図１】
0003128139.tif 000003
【図２】
0003128139.tif 000004
【図３】
0003128139.tif 000005
【図４】
0003128139.tif 000006
【図５】
0003128139.tif 000007
【図６】
0003128139.tif 000008
【図７】
0003128139.tif 000009
【図８】
0003128139.tif 000010
【図９】
0003128139.tif 000011